(57)【要約】【課題】室外機１台に対し、室内機複数台接続で同時運転される場合、ひとつの部屋に室内機２台同時運転されることから部屋の温度分布がよくなる反面、室内機複数台合わせた能力が室内機１台接続と同一であることから、室内機１台当りの能力は室内機接続台数で割った能力になり冷房運転時、吹出し温度が上昇し快適性が損なわれるという不具合を有していた。【解決手段】室内吸込み温度、室内熱交換器温度及び圧縮機周波数を検知し、室内ファン速を所定の回転数だけ低下させることで吹出し温度を一定に保つことが可能になることから、快適性を損なうことなく室内機複数台同時運転が可能になる。【選択図】図１１
2006275392.tif 000002
【特許請求の範囲】
【請求項１】
室外機１台に対し室内機が複数台接続され同時運転可能な空気調和機において、圧縮機運転検出手段、室内送風機速度検出手段、室内吸込み温度検出手段及び前記熱交換器温度検出手段、並びに外気温検出手段を具備し、冷房または除湿運転時において、風量自動設定時室内配管温度が第１の設定値を上回ると室内送風機を設定より所定回転数低下させることにより、快適性を損なうことなく運転を可能にした空気調和機。
【請求項２】
冷房または除湿運転時に風量自動設定時前記室内吸込み温度を検出し、吸込み温度が第１の設定値を上回ったら、室内送風機を設定より所定回転数低下させ、室内吸込み温度が第２の設定値を上回ったら前記室内送風機をさらに所定回転数低下させ、さらに室内吸込み温度が第３の設定値を上回ったら前記室内送風機をさらに所定回転数低下させることにより、快適性を損なうことなく冷房、または除湿運転を可能にしたことを特徴とする、請求項１に記載の空気調和機。
【請求項３】
冷房または除湿運転時に風量自動設定時前記室内吸込み温度と前記室内配管温度との差を検出し、温度差が第１の設定値を上回ったら、室内送風機を設定より所定回転数低下させ、前記温度差が第２の設定値を上回ったら、室内送風機を設定より所定回転数低下させ、さらに前記温度差が第３の設定値を上回ったら室内送風機を所定回転数低下させることにより、快適性を損なうことなく冷房、または除湿運転を可能にしたことを特徴とする、請求項１〜２のいずれかに記載の空気調和機。
【請求項４】
冷房または除湿運転時に風量自動設定時前記外気温度を検出し、外気温度が第１の設定値を上回ったら室内送風機を設定より所定回転数低下させ、外気温度が第２の設定値を上回ったら、室内送風機を所定回転数低下させ、外気温度が第３の設定値を上回ったらさらに室内送風機を所定回転数低下させることにより、快適性を損なうことなく冷房、または除湿運転を可能にしたことを特徴とする、請求項１〜３のいずれかに記載の空気調和機。
【請求項５】
冷房または除湿運転時に風量自動設定時圧縮機運転周波数を検出し、運転周波数が第１の設定値を下回ったら室内送風機を設定より所定回転数低下させ、運転周波数が第２の設定値を下回ったら室内送風機を設定より所定回転数低下させ、さらに運転周波数が第３の設定値を下回ったら室内送風機を設定より所定回転数低下させることにより、快適性を損なうことなく冷房、または除湿運転を可能にしたことを特徴とする、請求項１〜４のいずれかに記載の空気調和機。
【発明の詳細な説明】
【技術分野】
【０００１】
本発明は、除湿能力を確保する制御方法を搭載した空気調和機に関するものである。
【背景技術】
【０００２】
従来、この種空気調和機は、図１のフローチャート及び図２のタイムチャート並びに図３のブロック図に示すように、室外機１台に対し、室内機複数台接続であることを特徴とするツインまたはトリプル接続は、同一の部屋に付け同時に運転することにより、部屋の温度分布を改善し快適性を向上させるものであるが、各室内機のファン制御は室内機１台接続と同一で、冷房または除湿運転時の除湿量を確保するために、運転開始時にファンの運転遅延を実施していた（例えば、特許文献１参照）。
【特許文献１】特開２００３−１０６６２７号公報
【発明の開示】
【発明が解決しようとする課題】
【０００３】
しかしながら、前記従来の構成では、室内機が２台以上接続されているため、冷房または除湿運転開始時、ある一定時間ファン遅延制御を実施しても室内機１台当りの能力は半分になることから、特に室内の熱負荷が高い場合熱交換器温度が上昇して吹出し温度が上昇するため、除湿能力が著しく低下し快適性を損なうという課題を有していた。
【０００４】
本発明は前記従来の課題を解決するもので、室内機複数台接続で熱負荷に応じて、室内ファン速を変更することにより徐湿量を確保し快適性を向上させることを可能にした空気調和機を提供することを目的とする。
【課題を解決するための手段】
【０００５】
前記従来の課題を解決するために、本発明の空気調和機は第４図の制御ブロック図に示すように、圧縮機ＯＮ／ＯＦＦ検出手段、室内機接続台数検出手段、前記室内機接続台数記憶手段、室内ファン速設定値記憶手段、室内熱交換器温度検出手段、前記設定温度記憶手段より構成され、冷房または除湿運転時において、圧縮機ＯＮ検出後室内機接続台数を検出し、前記室内機が複数台接続を検出したら室内熱交換器温度を検出し、前記熱交換器設定値と比較し温度が設定値を上回ったら、室内ファン速を所定回転数低下させるものである。
【０００６】
これによって、除湿量を確保し快適性向上を可能としたものである。
【０００７】
また本発明の空気調和機は、第５図の制御ブロック図に示すように、圧縮機ＯＮ／ＯＦＦ検出手段、室内機接続台数検出手段、前記室内機接続台数記憶手段、室内ファン速設定値記憶手段、室内吸込み温度検出手段、前記設定温度記憶手段より構成され、冷房または除湿運転開始時に、圧縮機ＯＮ検出後後室内機接続台数を検出し、前記室内機が複数台接続を検出したら、室内吸込み温度を検出し、前記吸込み設定値と比較し、温度が設定値を上回ったら、室内ファン速を所定回転数低下させるものである。
【０００８】
これによって、除湿量を確保し快適性向上を可能としたものである。
【０００９】
また本発明の空気調和機は、第６図の制御ブロック図に示すように、圧縮機ＯＮ／ＯＦＦ検出手段、ファン速設定値記憶手段、室内熱交換器温度及び吸込み温度検出手段、前記熱交換器と吸込み温度との差を検出する温度差検出手段より構成され、冷房または除湿運転開始時において、圧縮機ＯＮ検出後後室内機接続台数を検出し、前記室内機が複数台接
続を検出したら、室内熱交換器温度及び吸込み温度との差を検出し、前記温度差設定値と比較し、温度差が設定値を上回ったら、室内ファン速を所定回転数低下させるものである。
【００１０】
これによって除湿量を確保し快適性向上を可能としたものである、
また本発明の空気調和機は、第７図の制御ブロック図に示すように、圧縮機ＯＮ／ＯＦＦ検出手段、ファン速設定値記憶手段、室外吸込み温度検出手段、前記設定温度記憶手段より構成され、冷房または除湿運転開始時において、圧縮機ＯＮ検出後後室内機接続台数を検出し、前記室内機が複数台接続を検出したら、室外吸込み温度を検出し、前記吸込み設定値と比較し、温度が設定値を上回ったら、室内ファン速を所定回転数低下させるものである。
【００１１】
これによって、除湿量を確保し快適性向上を可能としたものである。
【００１２】
また本発明の空気調和機は、第８図の制御ブロック図に示すように、圧縮機ＯＮ／ＯＦＦ検出手段、圧縮機周波数検出手段、前記周波数記憶手段、ファン速設定値記憶手段、室外吸込み温度検出手段、前記設定温度記憶手段より構成され、冷房または除湿運転開始時において、圧縮機ＯＮ検出後後室内機接続台数を検出し、前記室内機が複数台接続を検出したら、圧縮機運転周波数を検出し、前記周波数設定値と比較し、周波数が設定値を下回ったら、室内ファン速を所定回転数低下させるものである。
【００１３】
これによって、除湿量を確保し快適性向上を可能としたものである。
【発明の効果】
【００１４】
本発明の空気調和機は快適性を損なうことなく、除湿量を確保することができる。
【発明を実施するための最良の形態】
【００１５】
第１の発明は、室内熱交換器及び送風機、並びに前記送風機を駆動する駆動回路で形成される室内機において、圧縮機運転検出手段、室内機接続台数検出手段、室内送風機速度検出手段、室内熱交換器温度検出手段を具備し、冷房または除湿運転時において、風量自動を選択したら運転開始時圧縮機がＯＮしてから室内機接続台数を検出し、前記室内機が複数台接続を確認したら室内熱交温度を検出し設定値を上回ったら室内ファン速を所定回転数低下させることにより、快適性を損なうことなく除湿量を確保することができる。
【００１６】
第２の発明は、特に第１の発明の空気調和機を、冷房または除湿運転時において、風量自動を選択したら圧縮機ＯＮ検出後後室内機接続台数を検出し、前記室内機が複数台接続を検出したら、室内吸込み温度を検出し設定値を上回ったら、室内ファン速を所定回転数低下させることにより、快適性を損なうことなく除湿量を確保することができる。
【００１７】
第３の発明は、特に第１の発明または第２の発明の空気調和機を、冷房または除湿運転時において、風量自動を選択したら圧縮機ＯＮ検出後後室内機接続台数を検出し、前記室内機が複数台接続を検出したら、室内熱交換器温度及び吸込み温度との差を検出し、温度差が設定値を上回ったら、室内ファン速を所定回転数低下させることにより、快適性を損なうことなく除湿量を確保することができる。
【００１８】
第４の発明は、特に第１〜第３のいづれか１つの空気調和機を、冷房または除湿運転時において、風量自動を選択したら圧縮機ＯＮ検出後後室内機接続台数を検出し、前記室内機が複数台接続を検出したら、室外吸込み温度を検出し、温度が設定値を上回ったら、室内ファン速を所定回転数低下させることにより、快適性を損なうことなく除湿量を確保することができる。
【００１９】
第５の発明は、特に第１〜第４のいづれか１つの発明の空気調和機を、冷房または除湿運転時において、風量自動を選択したら圧縮機ＯＮ検出後後室内機接続台数を検出し、前記室内機が複数台接続を検出したら、圧縮機運転周波数を検出し、前記周波数設定値と比較し、周波数が設定値を下回ったら、室内ファン速を所定回転数低下させることにより、快適性を損なうことなく除湿量を確保することができる。
【００２０】
以下本発明の実施の形態について図面を参照して説明する。なお本実施の形態によって本発明が限定されるものではない。
【００２１】
（実施の形態１）
第９図は発明の第１の実施の形態における空気調和機を示す冷凍サイクル図である。
【００２２】
同図において冷凍サイクルは能力可変型圧縮機１、冷房運転と暖房運転を切換える４方弁２、室外熱交換器３、室外送風機４、外気温度センサー５、第１の室内熱交換器６、第１の室内送風機７、第１の室内熱交換器温度センサー８、第１の室内吸込み温度センサー９、第２の室内熱交換器１０、第２の室内送風機１１、第２の室内配管温度センサー１２、第２の室内吸込み温度センサー１３で構成されている。暖房運転時には４方弁２が切り変わることにより、同図の矢印の方向に冷媒が流れるようになっている。
【００２３】
第１０図のフローチャート及び第１１図のタイムチャートにより、室内送風機制御の動作を説明する。
【００２４】
冷房または除湿運転開始後風量自動ＯＮの場合、圧縮機の運転を検出したら室内機接続台数を検出する。このとき第１の室内機及び第２の室内機がＯＮの場合で、室内熱交換器温度Ｔｈを検出し、前記熱交換器設定値Ｔｈ１〜３と比較し温度が設定値Ｔｈ１を上回ったら、室内ファン速を所定回転数低下させ設定-Ｆｒ１とし、さらに熱交換器温度がＴｈ２を上回ったら室内ファン速をさらに所定回転数低下させ設定-Ｆｒ２とし、さらに熱交換器温度がＴｈ３を上回ったら室内ファン速をさらに所定回転数低下させ設定-Ｆｒ３とすることにより、室内熱交換器の温度を下げ除湿量を確保することができる。
（実施の形態２）
第１２図のフローチャート及び第１３図のタイムチャートにより、室内送風機制御の動作を説明する。
冷房または除湿運転開始後風量自動ＯＮの場合、圧縮機の運転を検出したら室内機接続台数を検出する。このとき第１の室内機及び第２の室内機がＯＮの場合で、室内吸込み温度Ｔｓを検出し、前記吸込み温度設定値Ｔｓ１〜３と比較し温度が設定値Ｔｓ１を上回ったら、室内ファン速を所定回転数低下させ設定-Ｆｒ１とし、さらに吸込み温度がＴｈ２を上回ったら室内ファン速をさらに所定回転数低下させ設定−Ｆｒ２とし、さらに吸込み温度がＴｈ３を上回ったら室内ファン速をさらに所定回転数低下させ設定−Ｆｒ３とすることにより、室内熱交換器の温度を下げ除湿量を確保することができる。
【００２５】
（実施の形態３）
第１４図のフローチャート及び第１５図のタイムチャートにより、室内送風機制御の動作を説明する。
【００２６】
冷房または除湿運転開始後風量自動ＯＮの場合、圧縮機の運転を検出したら室内機接続台数を検出する。
【００２７】
このとき第１の室内機及び第２の室内機がＯＮの場合で、室内吸込み温度と熱交換器温度との差ΔＴｓｈを検出し、前記温度差の設定値ΔＴｓ１〜３と比較し温度差が設定値Δ
Ｔｓ１を上回ったら、室内ファン速を所定回転数低下させ設定−Ｆｒ１とし、さらに温度差がΔＴｈ２を上回ったら室内ファン速をさらに所定回転数低下させ設定−Ｆｒ２とし、さらに温度差がΔＴｈ３を上回ったら室内ファン速をさらに所定回転数低下させ設定−Ｆｒ３とすることにより、室内熱交換器の温度を下げ除湿量を確保することができる。
【００２８】
（実施の形態４）
第１６図のフローチャート及び第１７図のタイムチャートにより、室内送風機制御の動作を説明する。
【００２９】
冷房または除湿運転開始後風量自動ＯＮの場合、圧縮機の運転を検出したら室内機接続台数を検出する。
【００３０】
このとき第１の室内機及び第２の室内機がＯＮの場合で、室外吸込み温度Ｔｇを検出し、前記温度設定値Ｔｇ１〜３と比較し温度設定値Ｔｇ１を上回ったら、室内ファン速を所定回転数低下させ設定−Ｆｒ１とし、さらに室外吸込み温度がＴｇ２を上回ったら室内ファン速をさらに所定回転数低下させ設定−Ｆｒ２とし、さらに室外吸込み温度がＴｇ３を上回ったら室内ファン速をさらに所定回転数低下させ設定−Ｆｒ３とすることにより、室内熱交換器の温度を下げ除湿量を確保することができる。
【００３１】
（実施の形態５）
第１８図のフローチャート及び第１９図のタイムチャートにより、室内送風機制御の動作を説明する。
【００３２】
冷房または除湿運転開始後風量自動ＯＮの場合、圧縮機の運転を検出したら室内機接続台数を検出する。
【００３３】
このとき第１の室内機及び第２の室内機がＯＮの場合で、圧縮機運転周波数Ｈｚを検出し、前記周波数設定値Ｈｚ１〜３と比較し周波数設定値Ｈｚ１を下回ったら、室内ファン速を所定回転数低下させ設定−Ｆｒ１とし、さらに周波数がＨｚ２を下回ったら室内ファン速をさらに所定回転数低下させ設定−Ｆｒ２とし、さらに周波数がＨｚ３を下回ったら室内ファン速をさらに所定回転数低下させ設定−Ｆｒ３とすることにより、室内熱交換器の温度を下げ除湿量を確保することができる。
【産業上の利用可能性】
【００３４】
以上のように、本発明に係る空気調和機は除湿量を確保して快適性を向上することができるので、除湿機や冷蔵庫の冷凍サイクルにも適用できる。
【図面の簡単な説明】
【００３５】
【図１】従来の送風機制御方法のフローチャート
【図２】従来の送風機制御方法のタイムチャート
【図３】従来の送風機制御方法のブロック図
【図４】本発明の第１の実施形態を示す送風機制御方法のブロック図
【図５】本発明の第２の実施形態を示す送風機制御方法のブロック図
【図６】本発明の第３の実施形態を示す送風機制御方法のブロック図
【図７】本発明の第４の実施形態を示す送風機制御方法のブロック図
【図８】本発明の第５の実施形態を示す送風機制御方法のブロック図
【図９】本発明の第１の実施形態を示す送風機制御方法の冷凍サイクル図
【図１０】本発明の第１の実施形態を示す送風機制御方法のフローチャート
【図１１】本発明の第１の実施形態を示す送風機制御方法のタイムチャート
【図１２】本発明の第２の実施形態を示す送風機制御方法のフローチャート
【図１３】本発明の第２の実施形態を示す送風機制御方法のタイムチャート
【図１４】本発明の第３の実施形態を示す送風機制御方法のフローチャート
【図１５】本発明の第３の実施形態を示す送風機制御方法のタイムチャート
【図１６】本発明の第４の実施形態を示す送風機制御方法のフローチャート
【図１７】本発明の第４の実施形態を示す送風機制御方法のタイムチャート
【図１８】本発明の第５の実施形態を示す送風機制御方法のフローチャート
【図１９】本発明の第５の実施形態を示す送風機制御方法のタイムチャート
【符号の説明】
【００３６】
１  圧縮機
２  ４方弁
３  室外熱交換器
４  室外送風機
５  外気温度センサー
６  第１の室内熱交換器
７  第１の室内送風機
８  第１の室内熱交換器温度センサー
９  第１の室内吸込み温度センサー
１０  第２の室内熱交換器
１１  第２の室内送風機
１２  第２の室内熱交換器温度センサー
１３  第２の室内吸込み温度センサー
【図１】
2006275392.tif 000003
【図２】
2006275392.tif 000004
【図３】
2006275392.tif 000005
【図４】
2006275392.tif 000006
【図５】
2006275392.tif 000007
【図６】
2006275392.tif 000008
【図７】
2006275392.tif 000009
【図８】
2006275392.tif 000010
【図９】
2006275392.tif 000011
【図１０】
2006275392.tif 000012
【図１１】
2006275392.tif 000013
【図１２】
2006275392.tif 000014
【図１３】
2006275392.tif 000015
【図１４】
2006275392.tif 000016
【図１５】
2006275392.tif 000017
【図１６】
2006275392.tif 000018
【図１７】
2006275392.tif 000019
【図１８】
2006275392.tif 000020
【図１９】
2006275392.tif 000021